(57)【要約】  【課題】  刃体を簡易に破断させることができ、しかも、破断片の飛散を防ぐことができ、この破断片を的確に収容することができるようにする。  【解決手段】  帯状の刃体を摺動可能に収容する収容溝１ａを有するケースＡを、前記収容溝１ａを有する第１のケース半体１と、刃体の一端部を挿入可能とした孔２１及び該孔２１に連通した空洞２２を有する第２のケース半体２とを離脱可能に結合してなる構成とし、第１及び第２のケース半体１、２を両手で把持して破断操作を行うことができ、刃体の破断片を孔２１から空洞２２へ的確に収容することができるようにした。【選択図】        図２
2005342118.tif 000002
【特許請求の範囲】
【請求項１】
帯状の刃体を摺動可能に収容する収容溝を有するケース、及び前記刃体を移動させるための操作体を備えた刃物用具において、前記ケースは、前記収容溝を有する第１のケース半体と、前記刃体の一端部を挿入可能とした孔及び該孔に連通した空洞を有する第２のケース半体とを離脱可能に結合してなることを特徴とする刃物用具。
【請求項２】
第２のケース半体は、前記孔又は前記空洞内で前記刃体の前記孔への挿入量を規制すべき規制部材及び該規制部材を移動させるための操作部を有する請求項１記載の刃物用具。
【請求項３】
第２のケース半体は、前記孔を被覆し、離脱可能とした被覆体を有する請求項１又は２記載の刃物用具。
【請求項４】
請求項１乃至３のいずれか一つに記載の刃物用具と、前記収容溝に収容された刃体とを備えることを特徴とする刃物。
【発明の詳細な説明】
【技術分野】
【０００１】
本発明は帯状の刃体を摺動可能に収容するケースと、前記刃体を移動させるための操作体とを有する刃物用具、及びこれを用いた刃物に関する。
【背景技術】
【０００２】
刃物用具及び刃物は、その長手方向に離隔して破断用の溝を有する刃体を摺動可能に収容する収容溝を有する略角柱形のケースと、前記刃体を係止し、前記収容溝に移動可能に保持された操作体とを備えている（例えば、特許文献１）。また、前記刃体の一端部を挿入可能とした孔を有し、前記収容溝の一端部を閉鎖するキャップを前記ケースに取着した刃物用具及び刃物も知られている。
【０００３】
このように構成された刃物用具、刃物は操作体を収容溝の長手方向へ押し操作することにより、刃体をケースの外方へ進出させることができ、操作体を収容溝の長手方向へ引き操作することにより、刃体を収容溝内へ後退させることができる。また、被切断物の切断等により刃体の一端部が摩耗したような場合、キャップをケースから離脱させて指で摘み、刃体の一端部をケースの外方へ進出させ、該一端部をキャップの孔に挿入し、刃体に曲げ力を加えることにより該刃体を破断用の溝から破断させ、刃体の摩耗部分を除去することができる。また、前記キャップを利用することなく、ペンチを使用して刃体を破断用の溝から破断させている。
【特許文献１】特開平１１−７６６３８号公報
【発明の開示】
【発明が解決しようとする課題】
【０００４】
ところが従来の刃物用具及び刃物は、収容溝の一端部を閉鎖するキャップに孔が設けられており、ケースから取外したキャップを摘んで刃体の一端部を破断操作する必要があるため、刃体に大きな操作力を加え難く、刃体を破断させ難いし、また、刃体の一端部の近傍で破断操作するため、破断操作する指が負傷する危険性が高いと言う問題があり、また、破断片が破断の瞬間に飛び散るため、破断片を探すのに時間と労力を要することになり、さらに、破断片を的確に処理することが難しいと言う問題があった。また、ペンチを使用する場合は刃物用具とは別個にペンチが必要であり、不便であった。
【０００５】
本発明は斯かる事情に鑑みてなされたものであり、主たる目的は帯状の刃体を摺動可能に収容する収容溝を有するケースを、前記収容溝を有する第１のケース半体と、刃体の一端部を挿入可能とした孔及び該孔に連通した空洞を有する第２のケース半体とを離脱可能に結合してなる構成とすることにより、刃体を簡易に破断させることができ、しかも、破断片の飛散を防ぐことができ、この破断片を的確に収容することができる刃物用具及び刃物を提供することにある。
【０００６】
また、他の目的は第２のケース半体を、前記孔又は前記空洞内で刃体の前記孔への挿入量を規制すべき規制部材及び該規制部材を移動させるための操作部を有する構成とすることにより、刃体を定位置で破断することができ、しかも、孔内の破断片を空洞に収容することができ、この収容した破断片が前記孔から外部に抜け出るのを的確に防ぐことができる刃物用具及び刃物を提供することにある。
また、他の目的は第２のケース半体に、前記孔を被覆し、離脱可能とした被覆体を設けることにより、空洞に収容した破断片が前記孔から外部に抜け出るのを的確に防ぐことができる刃物用具及び刃物を提供することにある。
【課題を解決するための手段】
【０００７】
第１発明に係る刃物用具は、帯状の刃体を摺動可能に収容する収容溝を有するケース、及び前記刃体を移動させるための操作体を備えた刃物用具において、前記ケースは、前記収容溝を有する第１のケース半体と、前記刃体の一端部を挿入可能とした孔及び該孔に連通した空洞を有する第２のケース半体とを離脱可能に結合してなることを特徴とする。
【０００８】
第１発明にあっては、一方の手で第１のケース半体を把持し、他方の手で第２のケース半体を取外して把持することができ、また、第１のケース半体の刃体の一端部を第２のケース半体の孔に挿入した状態で刃体に曲げ力を加えることにより該刃体を破断用の溝から破断させることができる。この場合、ケースを構成する第１及び第２のケース半体を両手で把持して破断操作を行うことができるため、刃体に大きな操作力を加え易く、刃体を簡易に破断させることができる。しかも、刃体の一端部と離隔した位置を把持することが可能であるため、破断操作する指が負傷する危険性が小さい。また、刃体の一端部は第２のケース半体の孔に挿入されているため、破断片の飛散を防ぐことができ、また、孔に連通する空洞が設けられているため、刃体の破断片を孔から空洞へ的確に収容することができる。
【０００９】
第２発明に係る刃物用具は、第２のケース半体は、前記孔又は前記空洞内で前記刃体の前記孔への挿入量を規制すべき規制部材及び該規制部材を移動させるための操作部を有することを特徴とする。
【００１０】
第２発明にあっては、刃体の一端部を孔に挿入することにより、刃体の一端部が規制部材に当接して孔への挿入量を規制することができるため、刃体を定位置で破断することができ、しかも、操作部を操作することにより規制部材を移動させることができるため、孔内の破断片を空洞に収容することができ、さらに、操作部の操作で規制部材を元位置に復帰させることにより、空洞に収容した破断片が前記孔から外部に抜け出るのを的確に防ぐことができる。
【００１１】
第３発明に係る刃物用具は、第２のケース半体は、前記孔を被覆し、離脱可能とした被覆体を有することを特徴とする。
【００１２】
第３発明にあっては、第２のケース半体の孔を被覆体が被覆しているため、空洞に収容した破断片が前記孔から外部に抜け出るのを的確に防ぐことができる。                      
【００１３】
第４発明に係る刃物は、第１発明乃至第３発明のいずれか一つに記載の刃物用具と、前記収容溝に収容された刃体とを備えることを特徴とする。
【００１４】
第４発明にあっては、刃体を備えるため、刃体を準備することなく使用することができる。
【発明の効果】
【００１５】
第１発明及び第４発明によれば、ケースを構成する第１及び第２のケース半体を両手で把持して破断操作を行うことができるため、刃体に大きな操作力を加え易く、刃体を簡易に破断させることができ、また、刃体の一端部と離隔した位置を把持することが可能であるため、破断操作する指が負傷する危険性を小さくできる。しかも、ケース半体の孔に刃体の一端部を挿入して破断するため、破断片の飛散を防ぐことができ、また、破断片を孔から空洞へ的確に収容することができ、破断片の処理を簡易にできる。
【００１６】
第２発明によれば、規制部材により刃体を定位置で破断することができ、しかも、操作部を操作することにより孔内の破断片を空洞に収容することができ、さらに、空洞に収容した破断片が前記孔から外部に抜け出るのを的確に防ぐことができる。
【００１７】
第３発明によれば、空洞に収容した破断片が孔から外部に抜け出るのを被覆体により的確に防ぐことができる。
【発明を実施するための最良の形態】
【００１８】
以下本発明をその実施の形態を示す図面に基づいて詳述する。
実施の形態１
図１は刃物用具の全体構成を示す正面図、図２は図１のII−II線の拡大断面図、図３は図１のIII −III 線の拡大断面図、図４は第１のケース半体の構成を示す斜視図、図５は第２のケース半体の構成を示す斜視図である。
【００１９】
刃物用具は、その長手方向に離隔して破断用の溝１０ａを有する帯状の刃体１０が装着されるものであり、刃体１０を摺動可能に収容する収容溝１ａを有する略角柱形のケースＡと、前記刃体１０を移動させるための操作体Ｂとを備えており、収容溝１ａに刃体１０を収容することにより刃物となる。
【００２０】
ケースＡは、収容溝１ａを有し、該収容溝１ａに操作体Ｂが間歇移動可能に保持された第１のケース半体１と、刃体１０の一端部を挿入可能とした孔２１及び該孔２１に連通した空洞２２を有する第２のケース半体２とを離脱可能に結合してなり、孔２１を被覆する被覆体３が第２のケース半体２に離脱可能に嵌合されている。
【００２１】
第１のケース半体１は刃体１０の全体を収容することが可能な長さの収容溝１ａを有する断面略Ｃ字形の溝部材１１と、該溝部材１１の長手方向一端側が内嵌された嵌合溝１２ａを有し、溝部材１１の１／２程度の長さとした断面略Ｃ字形の枠部材１２とを備えており、２つの小ねじ４，４により一体的に結合されている。
【００２２】
溝部材１１の一側部の縁には凹凸部１１ａが設けられており、溝部材１１の底部には小ねじ４，４が挿入される２つの貫通孔１１ｂ，１１ｂが穿設されている。枠部材１２には嵌合溝１ａの長手方向一側に穴１２ｂが設けられており、長手方向他側に凹所１２ｃ及び該凹所１２ｃに突設された円筒形の係合凸部１２ｄが設けられており、溝部材１１が嵌合溝１２ａに内嵌された状態で貫通孔１１ｂ，１１ｂから穴１２ｂ及び係合凸部１２ｄの孔２１に小ねじ４，４を挿入することにより溝部材１１及び枠部材１２が結合されている。また、溝部材１１は金属板を成形してなり、枠部材１２は合成樹脂材を成形してなる。
【００２３】
第２のケース半体２は、溝部材１１の長手方向他端側に外嵌される嵌合溝２３ａ及び該嵌合溝２３ａに連通し、嵌合溝２３ａよりも深底の凹所２３ｂを有する断面略Ｃ字形の枠部材２３と、孔２１及び該孔２１に連通する空洞２２を凹所２３ｂに形成するための区切板２４ａを有する可動部材２４と、刃体１０の孔２１への挿入量を破断用の溝１０ａ，１０ａ間の長さに規制すべき規制部材２５とを備える。
【００２４】
枠部材２３は、嵌合溝２３ａの長手方向一端側を非凹所とし、長手方向他端側に空洞２２となる凹所２３ｂが設けられており、また、嵌合溝２３ａ及び凹所２３ｂの間に２つの位置決め溝２３ｃ，２３ｃが設けられている。
【００２５】
可動部材２４は孔２１を有する長円形部２４ｂと、該長円形部２４ｂの孔２１と偏倚した位置から嵌合溝２３ａの長手方向へ延出された区切板２４ａと、該区切板２４ａの先端に突設され、係合凸部１２ｄとの係合を可能とした２つの係合爪２４ｃ，２４ｃとを備えている。
【００２６】
孔２１は刃体１０の断面形状に対応して細幅矩形に形成されており、刃体１０の一端部が挿入された状態で刃体１０に曲げ力が加わることにより、該刃体１０を１つの破断用の溝１０ａから破断させることができるだけの長さを有する。
【００２７】
長円形部２４ｂ及び区切板２４ａの幅方向両側部には位置決め溝２３ｃ，２３ｃに係合する係合部２４ｄ，２４ｄが設けられている。係合爪２４ｃ，２４ｃは区切板２４ａの幅方向に離隔しており、その爪部が向き合っている。また、長円形部２４ｂの外周部には係合溝２４ｅが設けられている。
【００２８】
規制部材２５は、その一端部が屈曲する屈曲片２６ａを有し、他端部が空洞２２内に固定された板ばね２６の屈曲片２６ａからなり、孔２１と向き合う位置で刃体１０の挿入量を規制するように構成されている。規制部材（屈曲片）２５には孔２１に対応する細幅矩形の貫通孔２５ａが穿設されており、また、板ばね２６には規制部材２５を空洞２２内の非規制位置へ移動させ、貫通孔２５ａを孔２１と向かい合わせるための操作部２７が設けられている。
【００２９】
この操作部２７は板ばね２６の規制部材２５側に固定されたピンからなり、枠部材２３に穿設された挿通孔２３ｄに操作部２７が移動可能に挿通されており、枠部材２３の外側から操作部２７を押し操作可能としてある。
【００３０】
操作体Ｂは刃体１０の長手方向他端部を係止し、溝部材１１の収容溝１ａに移動可能に収容されており、溝部材１１の凹凸部１１ａに係合する板ばね５が設けられており、操作体Ｂの移動した位置を維持可能としてある。
【００３１】
被覆体３は長円形の開口部を有する椀形をなしており、開口部の内側に係合溝２４ｅに係合する凸部３ａが設けられている。
【００３２】
以上のように構成された刃物用具は、収容溝１ａを有する金属製の溝部材１１と、該溝部材１１を保持した枠部材とを備えるケースＡの枠部材が収容溝１ａの長手方向途中で分断され、一方の枠部材１２に溝部材１１が結合されて第１のケース半体１になっており、他方の枠部材２３に孔２１及び空洞２２が設けられて第２のケース半体２になっている。
【００３３】
また、第２のケース半体２の嵌合溝２３ａに溝部材１１の他端部が内嵌され、係合爪２４ｃ，２４ｃが係合凸部１２ｄと係合し、枠部材１２，２３同視が突合せ状態で結合され、第１及び第２のケース半体１，２を一方の手で把持して使用することができるようになっており、また、その長手方向に離隔して破断用の溝１０ａを有する帯状の刃体１０が操作体Ｂに係止された状態で収容溝１ａに移動可能に収容され、刃物を構成している。
【００３４】
被切断物を切断するような場合、操作体Ｂを収容溝１ａの長手方向へ押し操作して刃体１０を進出移動させ、該刃体１０の一端側を収容溝１ａから外部へ突出させ、板ばね５の凹凸部１１ａとの係合により操作体Ｂの移動を禁止する。
【００３５】
図６、図７は刃体の一端部を破断する場合の説明図である。被切断物の切断等により刃体１０の一端部が摩耗したような場合、被覆体３を取外し、一方の手で第１のケース半体１の枠部材１２を把持し、他方の手で第２のケース半体２の枠部材２３を把持し、第１及び第２のケース半体１，２を反対方向へ引張ることにより、係合爪２４ｃ，２４ｃの係合凸部１２ｄとの係合が離脱し、第１及び第２のケース半体１，２の結合を解除でき、溝部材１１を嵌合溝２３ａから抜き出すことができる。そして、第１のケース半体１に装着されている刃体１０の一端部を第２のケース半体２の孔２１に挿入した状態（図６参照）で刃体１０に曲げ力を加えることにより該刃体１０を１つの破断用の溝１０ａから破断させることができ、刃体１０の破断片は孔２１から空洞２２へ的確に収容することができ、飛散を防ぐことができる。この場合、刃体１０の一端部を孔２１に挿入することにより、刃体１０の端縁が規制部材２５に当接し、孔２１への挿入量を破断用の溝１０ａ，１０ａ間の長さに規制することができ、刃体１０を定位置で破断することができる。
【００３６】
破断した後、操作部２７を押し操作すると、板ばね２６が撓み、規制部材２５を非規制位置へ移動させ、貫通孔２５ａを孔２１と向き合わせることができ（図７参照）、孔２１内の破断片を貫通孔２５ａから空洞２２に確実に収容することができる。また、操作部２７の押し操作を止め、規制部材２５を元位置に復帰させることにより、空洞２２に収容した破断片が前記孔２１から外部に抜け出るのを的確に防ぐことができる。以上のように刃体１０の破断片を空洞２２に収容して溜めることができるため、刃体１０を破断する都度、破断片を処理する必要がなく、また、安全性を高めることができる。
【００３７】
実施の形態２
図８は本発明に係る刃物用具の実施の形態２の全体構成を示すもので、(a) は正面図、(b) は斜視図である。また、図９は分解斜視図である。この実施の形態２の刃物用具は、実施の形態１のように溝部材１１と、該溝部材１１を保持した枠部材とを備えるケースＡの枠部材を収容溝１ａの長手方向途中で分断し、一方の枠部材１２に溝部材１１を結合して第１のケース半体１とし、他方の枠部材２３に孔２１及び空洞２２を設けて第２のケース半体２とする代わりに、金属製の溝部材１１と、該溝部材１１を保持した合成樹脂製の枠部材６とを備えるケースＡの溝部材１１を第１のケース半体１Ａとし、枠部材６を第２のケース半体２Ａとし、第１及び第２のケース半体１Ａ，２Ａを結合手段により取外し可能に結合したものである。
【００３８】
溝部材１１は金属板を断面略Ｃ字形に曲げ成形してなり、一側部の縁には凹凸部１１ａが設けられており、他側部には凹部１１ｂが設けられている。
【００３９】
枠部材６は溝部材１１が嵌合される嵌合溝６１ａ及び該嵌合溝６１ａに連なる凹所６１ｂを有する枠本体６１と、孔２１及び該孔２１に連通する前記空洞２２を前記凹所６１ｂに形成するための区切板６２ａを有する可動部材６２とを備えており、該可動部材６２が前記凹所６１ｂに取外し可能に嵌合され、前記空洞２２が形成されている。枠本体６１の端部には凹部１１ｂに係合するカム６３ａを有するレバー体６３が枢支されている。
【００４０】
実施の形態２にあっては、被切断物を切断するような場合、第２のケース半体２Ａが把持される。
刃体の一端部を破断する場合、被覆体３を取外し、レバー体６３を図８の反時計方向へ回動操作し、カム６３ａの凹部１１ｂとの係合を離脱させた状態で一方の手で枠部材６を把持し、他方の手で溝部材１１を摘み、枠部材６及び溝部材１１を反対方向へ引張ることにより、枠部材６から溝部材１１を抜き出すことができる。そして、他方の手で溝部材１１を把持し、該溝部材１１に装着されている刃体の一端部を枠部材６の孔２１に挿入した状態で刃体に曲げ力を加えることにより該刃体を１つの破断用の溝から破断させることができる。刃体の破断片は孔２１から前記空洞２２へ的確に収容することができ、飛散を防ぐことができる。  その他の構成及び作用は実施の形態１と同じであるため、同様の部品については同じ符号を付し、その詳細な説明及び作用効果の説明を省略する。
【００４１】
尚、以上説明した実施の形態では、規制部材２５を有する構成としたが、その他、規制部材２５をなくした構成としてもよい。また、孔２１を被覆する被覆体３を有する構成としたが、その他、被覆体３をなくした構成としてもよい。
【図面の簡単な説明】
【００４２】
【図１】本発明に係る刃物用具の全体構成を示す正面図である。
【図２】図１のII−II線の拡大断面図である。
【図３】図１のIII −III 線の拡大断面図である。
【図４】本発明に係る刃物用具の第１のケース半体の構成を示す斜視図である。
【図５】本発明に係る刃物用具の第２のケース半体の構成を示す斜視図である。
【図６】刃体の一端部を破断する場合の説明図である。
【図７】刃体の一端部を破断する場合の説明図である。
【図８】本発明に係る刃物用具の実施の形態２の全体構成を示すもので、(a) は正面図、(b) は斜視図である。
【図９】本発明に係る刃物用具の実施の形態２の分解斜視図である。
【符号の説明】
【００４３】
Ａ    ケース
Ｂ    操作体
１    第１のケース半体
１ａ  収容溝
２    第２のケース半体
２１  孔
２２  空洞
２５  規制部材
２７  操作部
３    被覆体
１０  刃体
【図１】
2005342118.tif 000003
【図２】
2005342118.tif 000004
【図３】
2005342118.tif 000005
【図４】
2005342118.tif 000006
【図５】
2005342118.tif 000007
【図６】
2005342118.tif 000008
【図７】
2005342118.tif 000009
【図８】
2005342118.tif 000010
【図９】
2005342118.tif 000011